(57)【特許請求の範囲】
【請求項１】
三重紐の役割を奏する帯結び補助具であって、板状部材の表面中央部の上部長さ方向に板状部材との間に帯を挿通可能に設けた第１の係止部材と、この第１の係止部材に重ねられ、一方の端部を第１の係止部材に対して固定可能な自由端部とすることにより第１の係止部材との間に帯を挿通可能に取着された第２の係止部材とを備え、さらに第２の係止部材の略中央部に紐部材を装着したことを特徴とする帯結び補助具。
【請求項２】
板状部材の裏面に帯枕や飾り結び用の帯板を固定するポケットを有することを特徴とする請求項１に記載の帯結び補助具。
【請求項３】
板状部材の裏面に腰枕と板状部材の両側に補助板状部材を備えたことを特徴とする請求項１又は請求項２に記載の帯結び補助具。
【発明の詳細な説明】
【０００１】
【発明の属する技術分野】
本発明は、帯結びに使用する帯結び補助具に関し、より詳しくは、文庫結び、蝶結び、花結び等の飾り結びが容易にできるところの帯結び具に関わる。
【０００２】
【従来の技術】
従来、帯結びを行うには「帯の一方をもう片方にくぐらせて巻き付け、締め付ける。」といった作業が必要なため、これら帯相互の摺り合わせや結び目によって、帯に傷が付いたりして、帯の耐用年数を縮めていた。
【０００３】
一方、文庫結び、蝶結びその他の飾り結びについては、飾りを形成する作業が難しく、一人ではこれらの結びを形成できず他の人の手を煩わせていた。また、他人の帯を文庫結び、蝶結びその他の飾り結びをする場合であっても、大変な作業労力が必要であった。さらに、四十肩等で力を入れられない人にとっては帯を結ぶ作業は苦痛でもある。
【０００４】
また、体型にあった補正をする必要性から、ウェストとヒップの段差をうめるために、タオル等を用いて補正されたりしている。このようにタオル等を利用して腰枕を形成するとすれば、帯結びの作業が繁雑となり、かつ別体であるが故にずれたりする不都合がある。
【０００５】
飾り結びに使用される帯枕は通常別体で使用されているが、別体の帯枕を利用する場合には、安定な装着が困難である。特に帯結び作業を腹側で行ってから、これを背側へ回動させる場合にあっては、帯に安定的に帯枕を固定することは困難である。
【０００６】
上記のように文庫結び、蝶結び等の飾り結びをするに当たって、多くの問題があり、もっと容易に帯結びが出来る方法の出現が望まれている。
【０００７】
【発明が解決しようとする課題】
本発明は、帯を傷めることがなく、単独でも容易に、かつ綺麗に飾り結びができる帯結び補助具を提供することにある。
【０００８】
【課題を解決するための手段】
上記課題を解決するために、鋭意研究を重ねた結果、文庫結びや蝶結びなどの飾り結びが容易にできる帯結び補助具の作成に成功した。
【０００９】
請求項１に記載の発明は、三重紐の役割を奏する帯結び補助具であって、板状部材の表面中央部の上部長さ方向に板状部材との間に帯を挿通可能に設けた第１の係止部材と、この第１の係止部材に重ねられ、一方の端部を第１の係止部材に対して固定可能な自由端部とすることにより第１の係止部材との間に帯を挿通可能に取着された第２の係止部材とを備え、さらに第２の係止部材の略中央部に紐部材を装着したことを特徴とする帯結び補助具である。帯のてを第１の係止部材に通してから、第２の係止部材にたれ側を押さえ通すことによって、結ばないで帯を安定させることができる。また、第２の係止部材に取着された紐部材によって飾り結びを簡単に固定することができる。
【００１０】
請求項２に記載の発明は、板状部材の裏面に帯枕や飾り結び用の帯板を固定するポケットを有することを特徴とする請求項１に記載の帯結び補助具である。板状部材の裏面にポケットを設けることによって、ポケットに帯枕、帯板を挿入するだけでこれらを簡単に安定的に装備することができ、かつ、文庫結びや花結等の飾り結びを容易に行うことができて、さらに、帯結びをした後で帯結び補助具を背面に回したときにずれない。
【００１１】
請求項３に記載の発明は、板状部材の裏面に腰枕と板状部材の両側に補助板状部材を備えたことを特徴とする請求項１又は請求項２に記載の帯結び補助具である。板状部材の裏面に腰枕と板状部材の両側に補助板状部材を取着したことによって、帯結びした後に帯結び補助具の板状部材を背面に回したときに、従来の腰回りの補正具相当の空間ができることによって、腰回りの補正をしなくても、補正した状態となる。
【００１２】
【本発明の実施の形態】
以下に本発明の帯結び補助具について、図面を用いて詳細に説明するが、本発明は要旨に含まれる限り以下の実施例に限定されるものではない。
【００１３】
本実施例における帯結び補助具１００は、図１に示すように、三重紐の役割を奏する部材を備えた帯結び具１００であって、板状部材１１の表面中央部の上部長さ方向に板状部材との間に帯を挿通可能に設けた第１の係止部材２１が張設され、この第１係止部材２１に重ねられ、一方の端部を第１の係止部材に対して固定可能な自由端部とすることにより第１の係止部材との間に帯を挿通可能に取着された第２の係止部材２２とを備え、さらに第２の係止部材２２の略中央部に紐部材２４を装着している。第１の係止部材２１に重ねて取着された自由端を有する第２の係止部材２２の当該自由端には鉤ホック２５が取着されており、第１の係止部材２１の一方端の係止部２６に固定可能となっている。
【００１４】
本実施例では第１の係止部材２１、及び第２の係止部材２２には幅約２．０ｃｍ、長さ約１２ｃｍの伸縮性を有する係止部材を係着した。また、第２の係止部材２２の中央部に取着した紐部材２４としては、約１８ｃｍのゴム紐を取着した。さらに、本実施例では、この板状部材１１に第３の係止部材２３として幅２．０ｃｍ、長さ１４ｃｍの伸縮性を有する係止部材２３の両端を板状部材１１の幅方向の中央部に張設した。この第３の係止部材２３に最初に帯のてを通すことにより、帯の固定動作が容易になる。各係止部材２１、２２、２３及び紐部材の幅、長さはこれらに限定されるものではなく、伸縮性部材の材質、強度等を考慮して、帯を挟んで安定に保つことができる幅と長さであればよい。使用される各係止部材２１、２２、２３、及び紐部材２４は伸縮性のある部材を使用することによって、異なる幅を有する帯を係止部材の間に挟み、又は飾り結びが可能となる。
【００１５】
また、本実施例においては、第２の係止部材２２の自由端に鉤ホックを取着して開閉自在としたが、第２の係止部材２２のみならず、第１の係止部材２１、第３の係止部材２３の一方端にそれぞれ鉤ホックや面ファスナー等を取着して、それぞれの係止部材の一方端を開閉できるようにしても良い。
【００１６】
板状部材１１の裏面は図２に示すように、その中央部にポケット２８を設けて、図５，図６に示す帯枕３１や飾り結び用の帯板３２を差し込める部位を付設する。ポケット２８の下部に腰枕２９を着設する。本実施例でのポケット２８の大きさは幅が１０ｃｍ、深さが１２ｃｍであるが、特にこの大きさに限定されることなく、帯枕３１が安定に挿入固定できる幅と深さがあればよい。腰枕２９は中に綿、布などを入れて膨らませて腰部に当接したときに、丁度よい高さと大きさであることが望ましい。本実施例においては中に綿を入れて幅約２．５ｃｍ、長さ２０ｃｍの腰枕２９としたが、この大きさに限定されるものではなく、腰枕２９は使用時に帯結び補助具１００が安定に腰部に当接する大きさであればよい。この腰枕２９と板状部材１１と補助板状部材１２、１３により、従来の腰回りの補正具相当の空間ができることによって、腰回りの補正をしなくても、補正した状態となる。
【００１７】
板状部材１１の形状は楕円形状、矩形状、台形状等いずれの形状であってもよく、その形状は特に限定されるものではなく、腰部に装着したときに違和感が少ない形状が望ましい。その材質もまたどのようなものであっても良い。例えば、腰部に装着した時に、腰部に沿って湾曲し、帯結び後の形状を維持し、帯枕３１を挿入したときに変形しない程度の硬度を有する合成樹脂板を用いることができる。本実施例においては、図３、図４に示す板状部材１１は縦幅約１４ｃｍ、横幅約３０ｃｍであるが、これらに限定されるものではない。なお、本実施例においては、図３に示すように、板状部材１１を腰回りに着設するために、板状部材１１を腰部に装着可能なベルトとして、板状部材１１の両側に補助板状部材１２，１３を伸縮性を有する連結部材１４としてゴム等の伸縮性のある部材を介して連設した。補助板状部材１２、１３は板状部材１１と同様の材質で良く、この実施例の補助板状部材１２，１３には空気の流通を良くするために、穴が設けられている。また、図３、図４に示すように補助板状部材１２と１３の中程に面ファスナー２７の雄、雌をそれぞれ相対して着設することにより、帯結び補助具１００の着脱を容易にすることができる。補助板状部材１２、１３の大きさ、材質は特に限定されるものではなく、板状部材１１を腰部に固定できる強度のもであればよいが、しっかりと固定するためには、板状部材１１と略同一の幅と、かつ、重ならない大きさを有することが望ましい。
【００１８】
また、補助板状部材１２、１３には幅約２．５ｃｍ、長さ約１５ｃｍの面ファスナーをそれぞれ上下２本設けたが、特に２本でなくとも、太い面ファスナー１本でも良く、帯結び補助具１００を腰部で安定に固定する面ファスナーで、着脱の容易なものが望ましい。
【００１９】
板状部材１１と補助板状部材１２、１３を連結するための連結部材１４は、帯結び補助具１００を装着したときに締めつけすぎず、緩すぎない程度の強度を有する伸縮性のあるものであればよい。この連結部材１４によって、帯結び補助具１００の締め付け具合、体格などで自由に調節することができる。さらに、一人で体の前で帯結びをした後、体の後に簡単にまわすことができる。
【００２０】
板状部材１１の裏面のポケット２８は図５に示す帯枕３１の脚部３１ｂ、あるいは図６に示す帯板３２を挿入することが出来、これら３１と３２については帯結びの形によって任意に代えることが可能である。帯枕３１は長時間着用していても疲れない軽いウレタン製のもの等であっても良い。帯板３２も長時間着用して疲れず、帯を支える強度を有する軽量の合成樹脂板等であってもよい。
【００２１】
帯枕３１には帯の形を形成固定するための紐３１ａが付設されている。帯枕３１は市販の帯枕を購入して紐３１ａを着設しても良い。
【００２２】
帯板３２は帯の形を形成固定するための紐を通す穴が上部に２〜４箇所設けられていることが望ましく、その穴は帯板３３のように紐が固定できれば、帯板３３に示すように紐が係止できるように帯板の横に切欠を設けても良い。
【００２３】
次いで、半巾の帯を着用するために、本実施例の帯結び補助具１００を用いた帯の結び方を図面を用いて説明する。図７の７ー１に示すように本実施例の帯結び補助具１００の板状部材１１が体の前にくるようにして補助板状部材１２，１３の面ファスナーで固定する。帯のて先４１を第１の係止部材２１を通して７−２のように肩に担ぎ、次いで７−３に示すように、帯を２回程胴を回して、７−４に示すようにたれ４３を第２の係止部材２２で係止する。次に７−５のようにたれ先４３で蝶の型を作り、ダーツを取った真ん中を紐部材２４で結ぶ。この結び目を覆うようにして、７−６に示すようにて４１で先に形作られた蝶の中心を巻いてて先４２を帯の下から出せば出来上がる。最後に、帯結び補助具上に形作った結び目を体の後に回して終わる（７−７）。
【００２４】
今までは結んだ後に手の端を胴の中に入れていたが、本実施例の帯結び補助具は三重紐の役割をする部材を備えているので、胴の中に入れなくても緩んでこない効果がある。また、飾り結びの形が自由にできやすく、胴に入れ込む分が表側に使用した結び方もできるので、帯結びのバリエーションも増えて、より華やかな結び方が可能となる。
【００２５】
文庫結びをする場合は、図８の８−１に示すように帯結び補助具１００を胴回りに付けて、袋帯、名古屋帯等の柄を調節するため、て先４２を第３の係止部材２３に通して挟み、次いで、第１の係止部材２１にて先４２を通して止める。次いで、胴に２回程巻いて、たれ側を第２係止部材２２に通せば、８−２に示すように結んだのと同様の効果が得られる。帯枕３１の足部分３１ｂを帯を跨ぐようにして裏面のポケット２８に挿入して固定する（８−３）。次に、帯枕３１の上で帯を文庫形に整えて、帯枕３１に着設された紐３１ａで文庫形の中心を結んで帯枕３１に固定する（８−４）。肩に掛けていたて４１で文庫形の着いた帯枕３１の中心を包んで（８−５）、残余部分は帯に差し込んでも良いし、帯締めで止めても良い（８−６）。帯結びが終ったら後に回して、帯揚げ、帯締め等で形を整えて出来上がる（８−７）。
他の飾り結びをする場合には、帯板３２，３３を使用すると帯が止まりやすい。
【００２６】
【発明の効果】
本発明の帯結び補助具を使用することによって、一人で鏡を見ながら、文庫結び、蝶結び等の帯結びを行うことができる。また、人に結んであげるのにも容易であり、帯結び補助具上で帯を結んでいるために安定感があり、着崩れを起こさない効果を有している。また、板状部材の裏面の腰枕と板状部材の両側に着設した補助板状部材によって、帯結びした後に帯結び補助具の板状部材を背面に回したとき、従来の腰回りの補正具相当の空間ができることによって、腰回りの補正をしなくても、補正した状態となる。
【図面の簡単な説明】
【図１】帯結び補助具の正面図
【図２】帯結び補助具の背面図
【図３】帯結び補助具に補助板状部材を着設した正面図
【図４】帯結び補助具に補助板状部材を着設した背面図
【図５】帯枕の斜視図
【図６】帯板の斜視図
【図７】帯結び補助具の使用説明図
【図８】帯結び補助具の使用説明図
【符号の説明】
１００：帯結び補助具
１１：板状部材
１２：補助板状部材
１３：補助板状部材
１４：連結部材
２１：第１の係止部材
２２：第２の係止部材
２３：第３の係止部材
２４：紐部材
２５：鉤ホック
２６：鉤ホック係止部
２７：面ファスナー
２８：ポケット
２９：腰枕
３１：帯枕
３１ａ：紐部材
３１ｂ：帯枕の脚部
３２：帯板
３３：帯板
４１：て
４２：て先
４３：たれ先
【図１】
0003665894.tif 000002
【図２】
0003665894.tif 000003
【図３】
0003665894.tif 000004
【図４】
0003665894.tif 000005
【図５】
0003665894.tif 000006
【図６】
0003665894.tif 000007
【図７】
0003665894.tif 000008
【図８】
0003665894.tif 000009